(57)【要約】【課題】既存のシステムを活用して、エレベータが専用運転を行っているためエレベータが利用できないことを乗場で待っている乗客に知らせることができるようにする。【解決手段】エレベータの運転を前記通常運転から前記専用運転に切り替える専用運転指令が入力されたことを検出した場合に、専用運転に切り替わったエレベータのホール呼びボタンをホール呼びに使用できなくさせるとともに、ホール呼びボタンを点滅させることにより、乗場にいる乗客にエレベータが利用できないことを報知する。【選択図】図２
2014015288.tif 000002
【特許請求の範囲】
【請求項１】
ホール呼びとかご呼びの両方に乗りかごを応答させる通常運転と、かご呼びのみに乗りかごを応答させる専用運転と、の間で運転モードを切り換える機能を有するエレベータの制御装置において、
エレベータの運転を前記通常運転から前記専用運転に切り替える専用運転指令が入力されたことを検出する手段と、
前記専用運転に切り替わったエレベータのホール呼びボタンをホール呼びに使用できなくさせる手段と、
前記ホール呼びボタンを点滅させることにより、乗場にいる乗客にエレベータが利用できないことを報知するランプ点滅手段と、
を備えたことを特徴とするエレベータの制御装置。
【請求項２】
前記ランプ点滅手段は、前記ホール呼びボタンの点滅と同時に、乗りかごが位置している階床を表示するホールインジケータを点滅させることを特徴とする請求項１に記載のエレベータの制御装置。
【請求項３】
前記ランプ点滅手段は、前記ホール呼びボタンの点滅と同時に、前記ホールインジケータとランタンを点滅させることを特徴とする請求項１に記載のエレベータの制御装置。
【請求項４】
前記ランプ点滅手段は、前記ホール呼びボタンの点滅と同時に、前記ホールインジケータを消灯することを特徴とする請求項１に記載のエレベータの制御装置。
【請求項５】
専用運転中に前記ホール呼びボタンが押された場合に、当該ホール呼びボタンが利用できない旨を音声により案内する音声案内手段をさらに備えることを特徴とする請求項１乃至４のいずれかに記載のエレベータの制御装置。
【発明の詳細な説明】
【技術分野】
【０００１】
本発明の実施形態は、エレベータの制御装置に関する。
【背景技術】
【０００２】
エレベータには、ホール呼びやかご呼びに応答しながら不特定多数の乗客にサービスを提供する通常運転に加えて、かご呼びのみに応答して特定の乗客にサービスを提供する専用運転の機能を有するエレベータがある。この種の専用運転は、ＶＩＰ乗客が利用するときや荷物運搬用に行われることが多い。
【０００３】
複数台のエレベータが設置されている場合には、そのうち一台の運転が通常運転から専用運転に切り替わると、この該当号機に対しては、ホール呼びボタンは使用できなくなる。そこで、エレベータの制御装置は通常運転を行っている他の号機にホール呼びを割り当てて応答させている。
【０００４】
このような従来の対応の仕方では、乗場で乗り込みを待つ乗客は、専用運転に切り替わったことを知らずに、サービスできない該当号機の前で待っているような状況がしばしば発生し、なかなかエレベータに乗り込めずに不便を感じることが多かった。また、エレベータの全号機が専用運転に切り替わった場合には、エレベータを利用できないにもかかわらず、乗客が乗場で待ち続けてしまう状況が発生していた。
【０００５】
そこで、従来から、エレベータの運転が専用運転に切り替わった場合には、乗場でエレベータを待つ乗客に対して、専用運転になっていることを表示灯などで知らせる報知装置を設けることが提案されている（例えば、特許文献１）。
【先行技術文献】
【特許文献】
【０００６】
【特許文献１】特開平１１−２１０２９号公報
【発明の開示】
【発明が解決しようとする課題】
【０００７】
しかしながら、専用運転中であることを乗客に知らせる表示灯などを乗場に別途に設けるということは、意匠上の見栄えという観点からみると、必ずしも好ましいものではない。
【０００８】
さらに、専用運転の機能は、エレベータの設置当初からある場合だけに限られず、エレベータ設置後にあとから追加する場合も多い。この場合には、専用運転中であることを知らせる表示灯を設置するための工事が必要となる。
【０００９】
そこで、本発明の目的は、別途に報知装置を設置することなく、既存のシステムを活用して、エレベータが専用運転を行っているためエレベータが利用できないことを乗場で待っている乗客に知らせることができるようにしたエレベータの制御装置を提供することにある。
【課題を解決するための手段】
【００１０】
前記の目的を達成するために、本発明は、
ホール呼びとかご呼びの両方に乗りかごを応答させる通常運転と、かご呼びのみに乗りかごを応答させる専用運転と、の間で運転モードを切り換える機能を有するエレベータの制御装置において、
エレベータの運転を前記通常運転から前記専用運転に切り替える専用運転指令が入力されたことを検出する手段と、
前記専用運転に切り替わったエレベータのホール呼びボタンをホール呼びに使用できなくさせる手段と、
前記ホール呼びボタンを点滅させることにより、乗場にいる乗客にエレベータが利用できないことを報知するランプ点滅手段と、
を備えたことを特徴とするものである。
【図面の簡単な説明】
【００１１】
【図１】本発明が適用されるエレベータをホール側から表した図である。
【図２】本発明の第１実施形態によるエレベータ制御装置の動作を示すフローチャートである。
【図３】図１において、専用運転中にホール呼びボタンが点滅している様子を表した図である。
【図４】図１において、専用運転中にホール呼びボタンおよびインジケータ、ホールランタンが点滅している様子を表した図である。
【図５】本発明の第２実施形態によるエレベータ制御装置の動作を示すフローチャートである。
【発明を実施するための最良の形態】
【００１２】
以下、本発明によるエレベータの制御装置の一実施形態について、添付の図面を参照しながら説明する。  
第１実施形態  
図１は、本発明が適用されるエレペータをホール側からみた図である。この実施形態では、１号機、２号機の２台のエレベータが同じ建物に設けられている場合を例に説明する。
【００１３】
図１において、参照番号１は、各階床のエレベータ扉を示している。１号機、２号機のエレベータ扉１の隣には、それぞれホール呼びボタン２が設けられている。このホール呼びボタン２は、１階では、昇方向ボタン２ａからなり、中間の階では昇方向ボタン２ａと降方向ボタン２ｂとからなる。最上階では、降方向ボタン２ｂだけになる。
【００１４】
１号機、２号機のそれぞれのエレベータ扉１の上には、乗りかごが位置している階床を示すインジケータ３が設置されている。このインジケータ３は、階床を表す数字を表示する階床表示部を備えている。
【００１５】
各階床には、１号機、２号機それぞれの乗りかごの移動方向を示すホールランタン５が設置されている。このホールランタン５は、昇方向を示すランタン６ａと降方向を示すランタン６ｂとを備えている。
【００１６】
次に、図１において、参照番号８は、エレベータの運転モードを通常運転から専用運転に切り替え、また、専用運転から通常運転に復帰させる操作を行うための専用運転ボタンを示す。通常運転とは、ホール呼びボタン２が押されたときにそのホール呼びに応答し、また、乗りかごからのかご呼びに応答する通常のエレベータの運転であり、専用運転とは、ホール呼びができなくなり、かご呼びのみに応答するエレベータの運転である。
【００１７】
参照番号１０は、１号機、２号機の運転をそれぞれ制御するエレベータ制御装置を示している。ホール呼びボタン２、インジケータ３、ホールランタン５、音声案内装置９は、エレベータ制御装置１０と配線ケーブル１２を介して接続されている。  エレベータ制御装置１０には、ホール呼びボタン２、インジケータ３、ホールランタン５の点灯および消灯に加えて点滅させるランプ制御回路が設けられている。
【００１８】
本実施形態によるエレベータの制御装置は、以上のように構成されるものであり、次に、その作用並びに効果について説明する。  
このエレベータが、ホールからのホール呼びに応答し、また、乗りかごからのかご呼びに応答する通常運転を行っている場合、例えば、１階の乗場にいる乗客が４階にいくため、２号機のホール呼びボタン２を押したとする。この場合には、昇方向ボタン２ａが点灯する。そして、それまで上の階で待機していた２号機の乗りかごが、ホール呼びに応答したとすると、２号機の移動方向を表示するランタン６ｂが点灯する。この間、インジケータ３の階床表示部では、乗りかごの位置している階床を示す数字が点灯する。乗りかごが乗客の待つ１階に到着すると、ホール呼びボタン２とランタン６ｂが消灯するとともにランタン６ａが点灯する。そしてエレベータ扉１が開いて乗客は乗りかごに乗り込むことになる。このようにして通常運転の場合は、ホール呼びボタン２を使ってホール呼びをすることできる。
【００１９】
次に、専用運転ボタン８が押されて、２号機のエレベータ運転が通常運転から専用運転に切り替わったとすると、エレベータ制御装置１０は、図２に示すフローチャートにしたがって動作し、以下のようにホール呼びボタン２を使用できなくするとともに、ホール呼びボタン２を点滅させる。
【００２０】
まず、エレベータ制御装置１０は、専用運転ボタン８が押されて専用運転に切り替わったことを検知すると（ステップＳ１０のｙｅｓ）、この時点で、既にホール呼びが登録されているか否かを判別する（ステップＳ１１）。
【００２１】
ホール呼びが登録されていれば（ステップＳ１１のｙｅｓ）、ステップＳ１２に進み、ホール呼びの登録を消去する。このようにして、専用運転中は、ホール呼びボタン２はホール呼びに使用することができなくなっている。ステップＳ１１でホール呼びが登録されていなければ、このステップＳ１２はスキップしてステップＳ１３に進む。
【００２２】
ステップＳ１３では、エレベータ制御装置１０は、図３に示されるように、ホール呼びボタン２を一定の周期で点滅させる。この点滅は、専用運転が続いている間、継続させる。  
こうしてエレベータで専用運転が行われている間は、ホール呼びボタン２は点滅を続けており、ホール呼びには使用できなくなっているので、図６に示される従来のインジケータのように専用灯２０を設ける必要なく、ホール呼びボタン２などの既存の設備を利用してエレベータが専用運転のため利用できなくなっていることを乗客に確実に知らせることができる。
【００２３】
他方、通常運転の行われている１号機の方では、ホール呼びボタン２は点滅しておらず、２号機のホール呼びボタン２が点滅しているのをみた乗客は、１号機のホール呼びボタンを押せばよいことがわかり、１号機を利用して目的階に移動することができる。
【００２４】
専用運転が終了してエレベータの運転が通常運転に切り替わると（ステップＳ１４のｙｅｓ）、ホール呼びボタン２の点滅は終了する（ステップＳ１５）。
【００２５】
なお、上述のステップＳ１３では、ホール呼びボタンだけを点滅させてエレベータが専用運転になっていることを知らせているが、乗客への報知効果を高めるために、図４に示されるように、ホール呼びボタン２と同時にインジケータ３およびホールランタン５を点滅させるようにしてもよい。
【００２６】
また、ホールランタン５の点滅が乗りかごの着床と紛らわしいと感じる場合には、ホール呼びボタン２の点滅と同時にホールランタン５を消灯させるようにしてもよい。
【００２７】
第２実施形態  
次に、本発明の第２実施形態について、図３および図５参照しながら説明する。  
上述した第１実施形態では、エレベータの運転が専用運転に切り替わったときに、ホール呼びボタン２を点滅させることにより、乗客に専用運転になっていることを報知する実施の形態であるが、この第２実施形態は、専用運転に切り替わると、ホール呼びボタン２を点滅させるだけでなく、音声によっても案内するようにした実施形態である。
【００２８】
まず、エレベータ制御装置１０は、専用運転ボタン８がオンして専用運転に切り替わったことを検知すると（ステップＳ１０のｙｅｓ）、この時点で、既にホール呼びが登録されているか否かを判別する（ステップＳ１１）。
【００２９】
ホール呼びが登録されていれば（ステップＳ１１のｙｅｓ）、ステップＳ１２に進み、ホール呼びの登録を消去する。このようにして、専用運転中、ホール呼びボタン２はホール呼びに使用することができなくなっている。ステップＳ１１でホール呼びが登録されていなければ、このステップＳ１２はスキップしてステップＳ１３に進む。
【００３０】
ステップＳ１３では、エレベータ制御装置１０は、ホール呼びボタン２を一定の周期で点滅させる。この点滅は、専用運転が続いている間、継続させる。この間、エレベータ制御装置１０は、ホール呼びボタン２が押されているかどうかを監視する（ステップＳ１６）。
【００３１】
ここで乗客が点滅しているホール呼びボタン２をみても、専用運転になって利用できないことに気づかず、ホール呼びボタン２を押したとする（ステップＳ１６ｙｅｓ）。エレベータ制御装置１０はこれを検知して、ホール呼びボタン２が押された乗場の音声案内装置９を作動させて、例えば、「現在専用運転中でご利用できません。隣のエレベータをご利用ください。」というように音声による案内を行う（ステップＳ１７）。
【００３２】
このように、エレベータの運転が専用運転に切り替わったときには、ホール呼びボタン２の点滅に加えて、ホール呼びボタン２が押された場合に、音声による案内を併せ行っているので、専用運転になっていて利用できないことを確実に乗客に了知させることができる。
【００３３】
専用運転が終了してエレベータの運転が通常運転に切り替わると（ステップＳ１４のｙｅｓ）、ホール呼びボタン２の点滅は終了する（ステップＳ１５）。
【００３４】
なお、第１実施形態、第２実施形態とも、エレベータが２台設置されている例を挙げて説明したが、本発明は、２台以上の複数のエレベータにも適用可能である。また、建物に１台のみ設置されているエレベータにも適用できることはもちろんである。
【００３５】
以上、本発明の実施形態を説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３６】
１…エレベータ扉、２…ホール呼びボタン、３…インジケータ、５…ランタン、８…専用運転ボタン、９…音声案内装置、１０…エレベータ制御装置
【図１】
2014015288.tif 000003
【図２】
2014015288.tif 000004
【図３】
2014015288.tif 000005
【図４】
2014015288.tif 000006
【図５】
2014015288.tif 000007